(57)【要約】【課題】携帯電話機からデジタル画像信号を取り込んで写真を自動的に作成する自動写真作成システムであって、対応可能な携帯電話機の種類に関する汎用性が高いものを提供する。【解決手段】自動写真作成システムを、（ａ）写真として再現すべき画像を表すデジタル画像信号を取り込む信号取込み装置２０であって、携帯電話機からデジタル画像信号を取り込む第１取込み部を有するものと、（ｂ）その信号取込み装置に取り込まれたデジタル画像信号に基づいて印刷することによって写真を作成する印刷装置とを含み、かつ、信号取込み装置にデジタル画像信号が取り込まれた携帯電話機の種類を問わず、信号取込み装置による信号取込みと印刷装置による印刷とを正常に行うものとする。【選択図】  図１
2004178024.tif 000002
【特許請求の範囲】
【請求項１】
写真を自動的に作成するシステムであって、
写真として再現すべき画像を表すデジタル画像信号を取り込む信号取込み装置であって、携帯電話機からデジタル画像信号を取り込む第１取込み部を有するものと、
その信号取込み装置に取り込まれたデジタル画像信号に基づいて印刷することによって写真を作成する印刷装置と
を含み、かつ、前記信号取込み装置にデジタル画像信号が取り込まれた携帯電話機の種類にかかわらず、前記信号取込み装置による信号取込みと前記印刷装置による印刷とを正常に行う自動写真作成システム。
【請求項２】
前記第１取込み部が、携帯電話機の端子に接続されて使用される接続ケーブルを、対応可能な携帯電話機の種類の数に応じて複数本有するものである請求項１に記載の自動写真作成システム。
【請求項３】
前記信号取込み装置が、さらに、デジタルカメラからデジタル画像信号を取り込む第２取込み部を含む請求項１または２に記載の自動写真作成システム。
【請求項４】
前記第２取込み部が、デジタル画像信号を記録した可搬性の記録媒体がデジタルカメラから取り外されて前記第２取込み部に装着された状態で、前記記録媒体からデジタル画像信号を取り込むものである請求項３に記載の自動写真作成システム。
【請求項５】
前記第２取込み部が、前記記録媒体が装着されるべき装着部を、対応可能な記録媒体の種類の数に応じて複数個有するものである請求項４に記載の自動写真作成システム。
【請求項６】
さらに、被写体を撮影するカメラを含み、かつ、前記印刷装置が、そのカメラから取り込んだデジタル画像信号に基づいて印刷することによって写真を作成するものである請求項１ないし５のいずれかに記載の自動写真作成システム。
【発明の詳細な説明】
【０００１】
【発明の属する技術分野】
本発明は、写真を自動的に作成する技術に関し、特に、写真として再現すべき画像を表すデジタル画像信号に基づいて印刷することによって写真を作成する技術の改良に関する。
【０００２】
【従来の技術】
最近、人間間のコミュニケーションを行うための手段として携帯電話機が普及している。携帯電話機は本来、他人と通話するための機器である。しかし、技術の進歩により携帯電話機の機能が高度化し、デジタル画像信号を通信する機能が付加された形式の携帯電話機や、自らカメラを搭載し、画像を撮影する機能も付加された形式の携帯電話機が登場した。それらの携帯電話機も次第に普及している。
【０００３】
上述のように、携帯電話機のユーザは、画像というものをデジタル画像信号によって簡単に扱えるようになった。そうなると、携帯電話機のユーザは、デジタル画像信号により表される画像を写真として保存したいと思うようになるのが自然である。しかし、携帯電話機は、そのモビリティ（持ち運び易さ）が本来の特徴であることもあって、それ自体、印刷する機能を有しないのが普通である。
【０００４】
そのため、携帯電話機からデジタル画像信号を取り込んで印刷を行うプリンタを、その携帯電話機に専用のプリンタとして、かつ、その携帯電話機に対して着脱可能に使用する技術が既に提案されている。（例えば、特許文献１参照。）
【特許文献１】
特開２００２−２４８８３３号公報
【０００５】
【発明が解決しようとする課題】
世の中に存在する携帯電話機の種類（例えば、デジタル画像信号の方式に関する種類）は一つではなく、例えば、携帯電話機を製造するメーカによって異なる。これに対し、上述の従来のプリンタは、１種類の携帯電話機にしか対応することができない。
【０００６】
そのため、携帯電話機のユーザは従来、写真を作成するために上述のプリンタを購入しても、その携帯電話機とは種類が異なる携帯電話機については同じプリンタを使用することができない。このように、従来のプリンタは、対応可能な携帯電話機の種類に関して汎用性を欠いていたのである。
【０００７】
このような事情を背景として、本発明は、携帯電話機からデジタル画像信号を取り込んで写真を自動的に作成するシステムであって、対応可能な携帯電話機の種類に関する汎用性が高いものを提供することを課題としてなされたものである。
【０００８】
【課題を解決するための手段および発明の効果】
本発明によって下記の各態様が得られる。各態様は、項に区分し、各項に番号を付し、必要に応じて他の項の番号を引用する形式で記載する。これは、本明細書に記載の技術的特徴のいくつかおよびそれらの組合せのいくつかの理解を容易にするためであり、本明細書に記載の技術的特徴やそれらの組合せが以下の態様に限定されると解釈されるべきではない。
【０００９】
（１）  写真を自動的に作成するシステムであって、
写真として再現すべき画像を表すデジタル画像信号を取り込む信号取込み装置であって、携帯電話機からデジタル画像信号を取り込む第１取込み部を有するものと、
その信号取込み装置に取り込まれたデジタル画像信号に基づいて印刷することによって写真を作成する印刷装置と
を含み、かつ、前記信号取込み装置にデジタル画像信号が取り込まれた携帯電話機の種類を問わず、前記信号取込み装置による信号取込みと前記印刷装置による印刷とを正常に行う自動写真作成システム。
【００１０】
このシステムによれば、携帯電話機の種類を問わず、携帯電話機からデジタル画像信号を取り込んで写真を自動的に作成することが可能となる。したがって、このシステムによれば、対応可能な携帯電話機に関する汎用性が向上する。
【００１１】
本項における「携帯電話機」は、デジタル画像信号を取り扱うことができるものであれば足りる。カメラを搭載することは不可欠ではないのであり、カメラは搭載しないがデジタル画像信号を外部から受信してそれに応じて画像を表示する機能を有する携帯電話機も、本項における「携帯電話機」に該当する。
【００１２】
本項における「信号取込み装置」は、例えば、外部からデジタル画像信号を有線で取り込む形式としたり、無線で取り込む形式とすることが可能である。
【００１３】
（２）  複数人の潜在的なユーザに接する可能性のある場所に設置されて使用される（１）項に記載の自動写真作成システム。
【００１４】
このシステムによれば、携帯電話機の各ユーザが写真を作成するために個別に当該システムを購入せずに済む。例えば、ある業者が当該システムを購入し、それを集客力が強い店舗や駅などに設置すれば、各ユーザは、当該システムを利用することが容易になるとともに、当該システムを個人で購入する場合より経済的に有利となる。
【００１５】
（３）  硬貨またはその代用硬貨が投入されることに応じて、写真を自動的に作成する（１）または（２）項に記載の自動写真作成システム。
【００１６】
（４）  前記第１取込み部が、携帯電話機の端子に接続されて使用される接続ケーブルを含む（１）ないし（３）項のいずれかに記載の自動写真作成システム。
【００１７】
このシステムによれば、それの端子からデジタル画像信号が取り出される形式の携帯電話機に対応することが可能となる。
【００１８】
（５）  前記第１取込み部が、デジタル画像信号を記録した可搬性の記録媒体が携帯電話機から取り外されて前記第１取込み部に装着された状態で、前記記録媒体からデジタル画像信号を取り込むものである（１）ないし（３）項のいずれかに記載の自動写真作成システム。
【００１９】
このシステムによれば、可搬性の記録媒体を携帯電話機から取り外してその記録媒体からデジタル画像信号が取り出される形式の携帯電話機に対応することが可能となる。
【００２０】
（６）  前記第１取込み部が、携帯電話機の端子に接続されて使用される接続ケーブルを、対応可能な携帯電話機の種類の数に応じて複数本有するものである（１）ないし（５）項のいずれかに記載の自動写真作成システム。
【００２１】
ここに、「対応可能な携帯電話機の種類の数」は、例えば、デジタル画像信号の方式に関する種類の数、携帯電話機の端子の形態に関する種類等を意味する。その「対応可能な携帯電話機の種類の数」は、例えば、携帯電話機が製造するメーカの数と必ずしも一致しない。メーカが異なっても、端子の形態は共通する場合があるからである。
【００２２】
（７）  前記信号取込み装置が、さらに、デジタルカメラからデジタル画像信号を取り込む第２取込み部を含む（１）ないし（６）項のいずれかに記載の自動写真作成システム。
【００２３】
このシステムによれば、携帯電話機からのみならずデジタルカメラからもデジタル画像信号を取り込んで写真を自動的に作成することが可能となる。さらに、デジタルカメラの種類を問わず、デジタルカメラからデジタル画像信号を取り込んで写真を自動的に作成することが可能となる。
【００２４】
（８）  前記第２取込み部が、デジタル画像信号を記録した可搬性の記録媒体がデジタルカメラから取り外されて前記第２取込み部に装着された状態で、前記記録媒体からデジタル画像信号を取り込むものである（７）項に記載の自動写真作成システム。
【００２５】
（９）  前記第２取込み部が、前記記録媒体が装着されるべき装着部を、対応可能な記録媒体の種類の数に応じて複数個有するものである（８）項に記載の自動写真作成システム。
【００２６】
ここに、「対応可能な記録媒体の種類の数」は、前記（６）項における「対応可能な携帯電話機の種類の数」と同様に定義することが可能である。
【００２７】
（１０）  前記記録媒体が、板状のメモリカードであり、前記装着部が、対応するメモリカードが挿入されるべきスロットである（９）項に記載の自動写真作成システム。
【００２８】
（１１）  さらに、被写体を撮影するカメラを含み、かつ、前記印刷装置が、そのカメラから取り込んだデジタル画像信号に基づいて印刷することによって写真を作成するものである（１）ないし（１０）項のいずれかに記載の自動写真作成システム。
【００２９】
このシステムによれば、携帯電話機からデジタル画像信号を取り込んで写真を作成する機能に加えて、当該システムに設けられたカメラ（例えば、可搬性を有するデジタルカメラと区別するために、固定カメラまたは据付けカメラと称することができる。）を用いてその場で撮影して写真を作成する機能を実現することが可能となる。
【００３０】
本項における「写真」は、例えば、本人であることを証明するために使用される証明写真としたり、表面には画像が印刷される一方、裏面にはフィルム状のセパレータが粘着剤または接着剤により貼付されて成るプリントシート（例えば、プリントシール、プリントステッカ）とすることが可能である。プリントシートとする場合には、それからセパレータを剥がすだけで、ユーザが希望する場所に貼り付けることが可能となる。
【００３１】
【発明の実施の形態】
以下、本発明のさらに具体的な実施の形態のいくつかを図面に基づいて詳細に説明する。
【００３２】
図１には、本発明の第１実施形態に従う写真プリントシステムの外観が正面図で示され、図２には、この写真プリントシステムのハードウエア構成がブロック図で概念的に示されている。この写真プリントシステムは、屋根を有していないため、屋内での使用に特に適している。
【００３３】
この写真プリントシステムは、無人式、硬貨投入式および自立式であり、複数種類の携帯電話機からデジタル画像信号を取り込んで写真をプリントする機能と、複数種類のデジタルカメラからデジタル画像信号を取り込んで写真をプリントする機能とを備えている。
【００３４】
図１に示すように、この写真プリントシステムは筐体１０を備えている。筐体１０の底部には、この写真プリントシステムの移動をスムーズにするためのローラ１２が回転可能に取り付けられている。
【００３５】
筐体１０には、図１および図２に示すように、操作装置としても表示装置としても機能するタッチスクリーン・ディスプレイ１６（以下、単に「ディスプレイ」という）が装着されている。
【００３６】
このディスプレイ１６は、液晶を用いた画面上に複数のタッチキーが表示され、選択したタッチキーにユーザが触れると、それに対応する指令が写真プリントシステムに取り込まれる。このディスプレイ１６は、さらに、必要な情報を画面上に表示するためにも用いられる。
【００３７】
この写真プリントシステムは、さらに、図１および図２に示すように、スピーカ１８を備えている。スピーカ１８は、音声によってユーザを指示するために設けられている。
【００３８】
この写真プリントシステムは、さらに、図１および図２に示すように、３本の接続ケーブル２０を第１取込み部として備えている。それら３本の接続ケーブル２０は、図２に示すように、Ａ社製の携帯電話機とＢ社製の携帯電話機とＣ社製の携帯電話機とのそれぞれの端子に接続されて使用される。各接続ケーブル２０は、各携帯電話機に適合させられている。
【００３９】
なお付言するに、本実施形態においては、接続ケーブル２０がデジタル画像信号を携帯電話機から取り込むために使用されるが、デジタルカメラから取り込むために使用するようにして本発明を実施することが可能である。
【００４０】
この写真プリントシステムは、さらに、図１および図２に示すように、メモリカード・リーダ２４を第２取込み部として備えている。メモリカード・リーダ２４は、図１に示すように、スロット２６を３個（または４個）、それぞれ装着部として有するように設計されている。それらスロット２６は、複数種類のデジタルカメラからそれぞれ取り外された複数種類のメモリカードに適合するように設計されている。
【００４１】
なお付言するに、本実施形態においては、メモリカード・リーダ２４がデジタル画像信号を取り込むメモリカードがデジタルカメラに使用されるメモリカードとされているが、携帯電話機に使用されるメモリカードを単独でまたは一緒に含むように本発明を実施することが可能である。
【００４２】
図１に示すように、筐体１０にはそれの前面に扉３０が取り付けられている。その扉３０には鍵付きの取っ手３２が取り付けられている。扉３０には、さらに、硬貨投入口３４と写真取出し口３６とが設けられている。硬貨投入口３４から投入された硬貨は、図２に示す硬貨収受器４０に収容される。硬貨収受器４０は、投入された硬貨を選別する機能を有している。この写真プリントシステムによってプリントされた写真は、ユーザにより上記写真取出し口３６から取り出される。
【００４３】
図２に示すように、この写真プリントシステムは、コンピュータを主体とするマザーボード５０を備えている。コンピュータは、よく知られているように、ＣＰＵ５４と、そのＣＰＵ５４により実行されるプログラムを格納したメモリ５６とを含むように構成されている。マザーボード５０は筐体１０内に収容されている。このマザーボード５０に、前述の、メモリカード・リーダ２４、３本（または２本）の接続ケーブル２０、ディスプレイ１６およびスピーカ１８が接続されている。
【００４４】
図２に示すように、このマザーボード５０には、さらに、プリンタ６０が１台接続されている。このプリンタ６０は、昇華型熱転写方式により写真をプリントするように設計されている。
【００４５】
図２に示すように、マザーボード５０には、さらに、入力信号と出力信号とを制御する入力／出力信号制御ユニット６２が接続されている。その入力／出力信号制御ユニット６２を介して前記硬貨収受器４０がマザーボード５０に接続されている。
【００４６】
図３には、マザーボード５０のコンピュータのソフトウエア構成が概念的に表されている。そのソフトウエア構成は、写真プリントシステム全体を制御するメインプログラムと、画像転送ライブラリと、マルチメディア・ドライバ・ライブラリと、携帯電話機ドライバ・ライブラリと、プリンタ・ドライバ・ライブラリとを含んでいる。ここに「ライブラリ」は、各種プログラムの集まりである。
【００４７】
各ライブラリの概略を説明すれば、画像転送ライブラリは、携帯電話機の種類に応じた方法で、携帯電話機から写真プリントシステムに接続ケーブル２０（例えば、ＵＳＢケーブル）を使って写真画像を転送するために使用される。このライブラリは、マザーボード５０に常駐させられる。
【００４８】
マルチメディア・ドライバ・ライブラリは、複数種類のメモリカード（例えば、スマートメディア（登録商標）、メモリスティック（登録商標）、コンパクトフラッシュ（登録商標）、マイクロドライブ、ＳＤメモリカード、マルチメディアカードＭＭＣ）から画像を取り込むために使用される。このライブラリも、マザーボード５０に常駐させられる。
【００４９】
携帯電話機ドライバ・ライブラリは、携帯電話機から画像を取り込むために使用される。このライブラリも、マザーボード５０に常駐させられる。
【００５０】
プリンタ・ドライバ・ライブラリは、前記プリンタ６０を用いて印刷を行って写真を作成するために使用される。このライブラリも、マザーボード５０に常駐させられる。
【００５１】
図４には、図３におけるメインプログラムの内容がフローチャートで概念的に表されている。このメインプログラムは、ユーザの指令に応じて実行される。
【００５２】
このメインプログラムにおいては、まず、ステップＳ１（以下、単に「Ｓ１」で表す。他のステップについても同じとする。）において、ユーザの指令に応じて、写真を作成するために印刷が行われるべき用紙の種類が選択される。用紙の種類には、携帯電話機から取り込んだ画像を印刷するための用紙と、デジタルカメラから取り込んだ画像を印刷するための用紙とがある。
【００５３】
次に、Ｓ２において、その印刷の対価としてユーザが所定額の硬貨を前記硬貨投入口３４に投入することがディスプレイ１６上に指示される。この指示に従ってユーザが硬貨を適正に投入すると、Ｓ３に移行する。
【００５４】
このＳ３においては、ユーザが希望する印刷がプリンタ６０を用いて行われる。このＳ３の詳細が図５と図６とにそれぞれサブルーチンとしてフローチャートで表されている。
【００５５】
ユーザが、自分のデジタルカメラで撮影した画像を印刷して写真を作成することを希望する場合には、図５のサブルーチンが実行される。このサブルーチンにおいては、まず、Ｓ１１において、ユーザが、そのデジタルカメラに適合したスロット２６を選択するとともに、そのデジタルカメラからメモリカードを抜き取ってそのメモリカードを、その選択されたスロット２６に挿入することがディスプレイ１６上に指示される。この指示に従ってユーザがそのメモリカードを挿入すると、Ｓ１２に移行する。
【００５６】
このＳ１２においては、その挿入されたメモリカードから送信されたデジタル画像信号がマザーボード５０によって受信される。その後、Ｓ１３において、その受信されたデジタル画像信号に基づいてプリンタ６０が作動させられ、その結果、写真が作成される。
【００５７】
以上で、図５のサブルーチンの一回の実行が終了する。
【００５８】
これに対し、ユーザが、自分の携帯電話機に格納されている画像（外部から受信した画像と、その携帯電話機に付属のカメラで撮影した画像とを含む。）を印刷して写真を作成することを希望する場合には、図６のサブルーチンが実行される。このサブルーチンにおいては、まず、Ｓ２１において、ユーザが、その携帯電話機に適合した接続ケーブル２０を選択するとともに、その選択された接続ケーブル２０をその携帯電話機の端子に接続することがディスプレイ１６上に指示される。この指示に従ってユーザがその携帯電話機を接続すると、Ｓ２２に移行する。
【００５９】
このＳ２２においては、その接続された携帯電話機から送信されたデジタル画像信号がマザーボード５０によって受信される。その後、Ｓ２３において、その受信されたデジタル画像信号に基づいてプリンタ６０が作動させられ、その結果、写真が作成される。
【００６０】
以上で、図６のサブルーチンの一回の実行が終了する。
【００６１】
次に、本発明の第２実施形態に従う写真プリントシステムを説明する。ただし、本実施形態は、写真プリントシステムのハードウエア構成およびソフトウエア構成に関して第１実施形態と共通する点が多いため、共通する点については同一の符号または名称を使用して引用することによって詳細な説明を省略し、異なる点についてのみ詳細に説明する。
【００６２】
図７には、本実施形態に従う写真プリントシステムの外観が斜視図で示されている。この写真プリントシステムは、第１実施形態とは異なり、筐体１００に屋根１０２が取り付けられているため、屋内での使用はもちろん、屋外での使用にも適している。
【００６３】
さらに、本実施形態に従う写真プリントシステムは、デジタルカメラおよび携帯電話機から画像を取り込んで写真を作成する機能に加えて、その場で撮影して写真を作成する機能も備えている。後者の機能によれば、証明写真を作成することも、画像が印刷されたプリントシールを作成することも可能である。
【００６４】
図７に示すように、この写真プリントシステムは、内部に撮影室１０４を有する筐体１００と、その筐体１００の出入り口１０６を閉塞するカーテン（図示しない）とを含むように構成されている。
【００６５】
この写真プリントシステムは、さらに、その撮影室１０４内の被写体に光を照射するための照明装置１１０（図８参照）と、そのようにして照射された被写体を撮影する固定カメラ１１４（図８参照）とを備えている。
【００６６】
この写真プリントシステムは、さらに、図８に示すように、測距センサ１１８と、撮影スイッチ１２０（例えば、撮影ボタン）とを備えている。測距センサ１１８は、被写体と固定カメラ１１４との距離を測定し、それが適正範囲にあるか否かを判定するために使用される。撮影スイッチ１２０は、被写体の撮影がユーザにより許可されたことを写真プリントシステムに告知するために使用される。
【００６７】
図８に示すように、以上説明した照明装置１１０、測距センサ１１８および撮影スイッチ１２０は前記入力／出力信号制御ユニット６２を介してマザーボード５０に接続されている。
【００６８】
本実施形態においては、図８に示すように、印刷を行うためのプリンタ６０が３台設けられている。プリンタ６０Ａは、デジタルカメラまたは携帯電話機から取り込んだ画像を印刷するために使用される。プリンタ６０Ｂは、証明写真を作成するために使用される。そして、プリンタ６０Ｃは、プリントシールを作成するために使用される。
【００６９】
図９には、本実施形態に従う写真プリントシステムのソフトウエア構成が概念的に表されている。そのソフトウエア構成は、第１実施形態のそれに対し、固定カメラ・ドライバ・ライブラリが追加されている。このライブラリは、固定カメラ１１４（例えば、ＵＳＢカメラ）から画像を取り込むために使用される。このライブラリは、マザーボード５０に常駐させられている。
【００７０】
図９におけるメインプログラムは、第１実施形態のそれと基本的に共通するため、図示を省略する。このメインプログラムのうち、図４のＳ３に相当するステップ（以下、「印刷ステップ」という。）は、図５のサブルーチンに相当するサブルーチンと、図６のサブルーチンに相当するサブルーチンとを含んでいる。
【００７１】
その印刷ステップは、さらに、図１０にフローチャートで概念的に表されているサブルーチンも含んでいる。このサブルーチンは、証明写真またはプリントシールを作成するために使用される。
【００７２】
このサブルーチンにおいては、まず、Ｓ５１において、ユーザによって前記撮影スイッチ１２０がオンに操作されるのが待たれる。オンに操作されたならば、Ｓ５２において、固定カメラ１１４のシャッタがオンにされて被写体の撮影が行われ、それにより、デジタル画像信号が生成される。
【００７３】
その後、Ｓ５３において、その生成されたデジタル画像信号が固定カメラ１１４から取り込まれる。続いて、Ｓ５４において、その取り込まれたデジタル画像信号に基づいてプリンタ６０Ｂが作動させられ、それにより、証明写真が作成される。
【００７４】
以上で、図１０のサブルーチンの一回の実行が終了する。
【００７５】
以上、本発明のいくつかの実施形態を図面に基づいて詳細に説明したが、これらは例示であり、前記［課題を解決するための手段および発明の効果］の欄に記載の態様を始めとして、当業者の知識に基づいて種々の変形、改良を施した他の形態で本発明を実施することが可能である。
【図面の簡単な説明】
【図１】本発明の第１実施形態に従う写真プリントシステムの外観を示す正面図である。
【図２】図１の写真プリントシステムのハードウエア構成を系統的に示すブロック図である。
【図３】図２におけるマザーボード５０のコンピュータのソフトウエア構成を概念的に表す図である。
【図４】図３におけるメインプログラムの内容を概念的に表すフローチャートである。
【図５】図４におけるＳ３の一部の内容を概念的に表すフローチャートである。
【図６】図４におけるＳ３の別の一部の内容を概念的に表すフローチャートである。
【図７】本発明の第２実施形態に従う写真プリントシステムの外観を示す斜視図である。
【図８】図７の写真プリントシステムのハードウエア構成を系統的に示すブロック図である。
【図９】図８におけるマザーボード５０のコンピュータのソフトウエア構成を概念的に表す図である。
【図１０】図９におけるメインプログラムのうち図４のＳ３に相当するステップの詳細の一部の内容を概念的に表すフローチャートである。
【符号の説明】
２０  接続ケーブル
２４  メモリカード・リーダ
２６  スロット
５０  マザーボード
６０  プリンタ
【図１】
2004178024.tif 000003
【図２】
2004178024.tif 000004
【図３】
2004178024.tif 000005
【図４】
2004178024.tif 000006
【図５】
2004178024.tif 000007
【図６】
2004178024.tif 000008
【図７】
2004178024.tif 000009
【図８】
2004178024.tif 000010
【図９】
2004178024.tif 000011
【図１０】
2004178024.tif 000012